(57)【特許請求の範囲】
【請求項１】
フックボルトを用いた既存成形屋根をそのまま残し、該既存成形屋根の上に断熱材を敷設し、かつ、該断熱材を前記既存成形屋根の下地材に連結固定し、さらに前記断熱材の上に防水シートを張設し、前記断熱材と前記防水シートとで新しい屋根として改修した既存成形屋根の改修構造であって、
少なくとも上部及び下部にねじ孔を有し、該ねじ孔の下部が前記既存成形屋根より突出した既設の前記フックボルトの上端部に対して螺合固定され、前記断熱材に開けられた貫通孔に通され、長さが前記断熱材の厚さよりも短く上端が前記断熱材の上面よりも引っ込んでいる長尺ナットと、ねじ通し孔を有し該ねじ通し孔を前記断熱材の上面に開いた前記貫通孔に合わせて前記断熱材の上面に重ねた押えプレートと、上方から前記押えプレートのねじ通し孔に通され前記長尺ナットのねじ孔に螺合し締め付けるビスねじと、により前記断熱材の前記下地材に対する連結固定が行われ、
前記防水シートが、前記押えプレート及び前記ビスねじを隠して張設され固着された、ことを特徴とする既存成形屋根の改修構造。
【請求項２】
前記既存成形屋根と前記断熱材との間に、前記フックボルトを避けて敷設され人が載っても実質的に撓まない養生板を備えた、ことを特徴とする請求項１に記載の既存成形屋根の改修構造。
【請求項３】
前記防水シートの固着は、前記押えプレートが前記防水シートの上から誘導加熱されかつ押圧され、前記押えプレートの上面に塗布されたホットメルト接着剤により前記防水シートと前記押えプレートとが固着された、ことを特徴とする請求項１又は２に記載の既存成形屋根の改修構造。
【請求項４】
前記防水シートの固着は、前記防水シートと前記断熱材との密着面に塗布した接着剤により接着された、ことを特徴とする請求項１又は２に記載の既存成形屋根の改修構造。
【請求項５】
フックボルトを用いた既存成形屋根をそのまま残し、該既存成形屋根の上に断熱材を敷設し、該断熱材を前記既存成形屋根の下地材に連結固定し、かつ、前記断熱材の上に防水シートを張設し、前記断熱材と前記防水シートとで新しい屋根として改修する既存成形屋根の改修工法であって、
前記断熱材と前記防水シートとを設ける前に、少なくとも上部及び下部にねじ孔を有する長尺ナットを前記既存成形屋根より突出した既設の前記フックボルトの上端部に対して螺合し固定し、
次いで、該断熱材を前記既存成形屋根の上に敷設し、かつ、該断熱材に貫通孔を開けて該貫通孔に前記長尺ナットを通し、
次いで、中央にねじ通し孔を有し該ねじ通し孔を前記断熱材の上面に開いた前記貫通孔に合わせて前記断熱材の上面に重ねられかつ少なくとも上面にホットメルト樹脂が塗布された押えプレートを前記貫通孔に同心させて該断熱材の上に重ね、ビスねじを押えプレートのねじ通し孔に通して前記長尺ナットに螺合し締め付け、
次いで、前記断熱材の上に前記防水シートを張設し、該防水シートの上から前記押えプレートを誘導加熱して該押えプレートの上面に形成されたホットメルト樹脂膜を溶融して該押えプレートの上面と該防水シートとを固着する、ことを特徴とする既存成形屋根の改修工法。
【請求項６】
前記既存成形屋根の上に、人が載っても実質的に撓まない養生板を前記フックボルトを避けて敷設し、次いで、前記断熱材の敷設を行う、ことを特徴とする請求項５に記載の既存成形屋根の改修工法。
【請求項７】
前記防水シートの固着は、前記防水シートの上から誘導加熱手段により前記押えプレートを押圧して誘導加熱し、前記押えプレートの上面に塗布した前記ホットメルト接着剤を溶融してから押圧を確保して誘導加熱を停止し冷却することにより前記防水シートと前記押えプレートとを固着する、ことを特徴とする請求項５叉は６に記載の既存成形屋根の改修工法。
【請求項８】
前記防水シートの固着は、前記防水シートの敷設に際して、前記防水シートと前記断熱材との密着面に接着剤を塗布することにより接着する、ことを特徴とする請求項５叉は６に記載の既存成形屋根の改修工法。
【発明の詳細な説明】
【技術分野】
【０００１】
本発明は、既存成形屋根をそのまま残し、該既存成形屋根の上に断熱材と防水シートとで新しい屋根として改修する既存成形屋根の改修構造及び改修工法に関する。
【背景技術】
【０００２】
古いスレート系波板の既存成形屋根をそのまま残し、新しく金属系折板よりなる凹凸状の成形屋根を重ねて葺く改修工法が特許文献１〜３に提案されている。また特許文献としては見当たらないが、従来において、図３、図４に示すように、既存成形屋根をそのまま残し、該既存成形屋根の上に断熱材を敷設し、該断熱材を前記既存成形屋根の下地材に連結固定し、かつ、前記断熱材の上に防水シートを張設して接着し、前記断熱材と前記防水シートとで新しい屋根として改修する既存成形屋根の改修工法が行われている。
【０００３】
特許文献１の改修工法では、新しい成形屋根の固定は、既存成形屋根の鉄骨下地に対してビス等で固定する必要があるが、この改修工法によれば、タッピンねじを既存成形屋根に貫通させて鉄骨下地にねじ込むことにより新しい成形屋根の鉄骨下地を固定している（特許文献１、図１中の符号２０）。
【０００４】
特許文献２の改修工法では、新しい成形屋根の固定は、古いスレート系波板を鉄骨下地に固定しているフックボルトの上端ねじ部を利用してクランプ部材とフレーム部材とからなる複合構造のブラケットを設け、さらにこのブラケットに支持させて屋根受けフレームを設け、この屋根受けフレームの上に新しい金属系折板よりなる凹凸状の成形屋根を葺いている。
【０００５】
特許文献３の改修工法では、古いスレート系波板を鉄骨下地に固定しているフックボルトの上端ねじ部を利用して通し下地材を設け、この下地材の上に新設屋根（折板金属屋根）を固定している。
【０００６】
図３、図４に示す従来の既存成形屋根の改修工法は、まず、図３に示すように、フックボルト１１と座金１２とナット１３により鉄骨下地材１４に固定されたスレート系波板の既存成形屋根１５をそのまま残し、該既存成形屋根１５の上に断熱材１６を敷設し、次いで、防水シート１７を張設する。防水シート１７の張設において、断熱材１６と防水シート１７と接合することはしない。続いて、図４に示すように、防水シート１７に固定金具１８を当て、該固定金具１８の孔にタッピンねじ１９を通し、ドリルによって該タッピンねじ１９を断熱材１６に対して深くねじ込んでいき、さらに該タッピンねじ１９を鉄骨下地材１４にねじ込み固定する。これによって、断熱材１６と防水シート１７とは一定間隔で鉄骨下地材１４に固定されることになる。次いで、カバー２０を、タッピンねじ１９と固定金具（塩化ビニル被覆鋼板）１８に被せて防水シート１７に接合する。カバー２０を防水シート１７に接合するために、カバー２０として塩化ビニル樹脂製シートを使用する場合は、有機溶剤のテトラヒドロフランをカバー２０下面と防水シート１７との間に塗布して溶剤溶着する。
【特許文献１】特開２００７−１５４６２５号公報
【特許文献２】特開２００３−００３６１５号公報
【特許文献３】特開２００３−１９３６３１号公報
【発明の開示】
【発明が解決しようとする課題】
【０００７】
しかしながら、特許文献１〜３の既存成形屋根の改修工法では、（１）屋根の断熱を行うことはできない、（２）折板金属屋根を葺設するのでコストが高く付く、という問題点がある。
【０００８】
他方、特許文献１の既存成形屋根の改修工法と、図３、図４に示す従来の既存成形屋根の改修工法では、ドリルでタッピンねじを打ち込み下地材に固定することが行われる。このため、（１）古いスレート系波板にアスベストが含まれている場合には、タッピンねじで該古いスレート系波板を貫通する時に、アスベストを含んだ粉塵が室内に落下飛散する可能性があり、飛散防止のために、屋根裏に大掛かりな保護対策をしなければならず作業が大変である。また、前記古いスレート系波板がノンアスベストであっても、ドリルでビスを打ち込む際の振動で屋根に付着した埃が落下し、室内の設備等を汚す可能性が大きく、設備等にカバーが必要になり、工事が大掛かりとなり大変である、（２）断熱材上から鉄骨下地に固定金具で断熱材を固定する際に、その下の鉄骨下地を狙ってビスを打ち込むことは、断熱材で見えないだけに、所定の位置からずれる可能性があり、まして、鉄骨下地の幅が小さければなおその危険性が高く、強度に問題をきたす、（３）古いスレート系波板の既存成形屋根をタッピンねじが貫通するので、既存成形屋根は、防水機能を破壊されてしまう、（４）新しい屋根を下地材に連結固定する固定具を次回改修時に再利用できない、という問題点がある。
【０００９】
本発明は、このような問題点を解決するためになされたものであり、既存成形屋根をそのまま残し、断熱材と防水シートとで新しい屋根として改修するものであって、断熱材及び防水シートからなる新しい屋根を既存成形屋根の下地材に連結固定できて、既存成形屋根をいじらず、既存成形屋根の防水機能を破壊することなく、粉塵が室内に落下飛散することがなく、改修費が安く付き、新しい屋根を下地材に連結固定する固定具を次回改修時に再利用できる、既存成形屋根の改修構造及び改修工法を提供することを目的としている。
【課題を解決するための手段】
【００１０】
上記課題を解決するために、請求項１に記載の発明は、フックボルトを用いた既存成形屋根をそのまま残し、該既存成形屋根の上に断熱材を敷設し、かつ、該断熱材を前記既存成形屋根の下地材に連結固定し、さらに前記断熱材の上に防水シートを張設し、前記断熱材と前記防水シートとで新しい屋根として改修した既存成形屋根の改修構造であって、少なくとも上部及び下部にねじ孔を有し、該ねじ孔の下部が前記既存成形屋根より突出した既設の前記フックボルトの上端部に対して螺合固定され、前記断熱材に開けられた貫通孔に通され、長さが前記断熱材の厚さよりも短く上端が前記断熱材の上面よりも引っ込んでいる長尺ナットと、ねじ通し孔を有し該ねじ通し孔を前記断熱材の上面に開いた前記貫通孔に合わせて前記断熱材の上面に重ねた押えプレートと、上方から前記押えプレートのねじ通し孔に通され前記長尺ナットのねじ孔に螺合し締め付けるビスねじと、により前記断熱材の前記下地材に対する連結固定が行われ、前記防水シートが、前記押えプレート及び前記ビスねじを隠して張設され固着された、既設成形屋根の回収構造としたことを特徴とする。
【００１１】
請求項２に記載の発明は、請求項１に記載の構成に加え、前記既存成形屋根と前記断熱材との間に、前記フックボルトを避けて敷設され人が載っても実質的に撓まない養生板を備えた、ことを特徴とする。
【００１２】
請求項３に記載の発明は、請求項１叉は２に記載の構成に加え、前記防水シートの固着は、前記押えプレートが前記防水シートの上から誘導加熱されかつ押圧され、前記押えプレートの上面に塗布された前記ホットメルト接着剤により前記防水シートと前記押えプレートとが固着された、ことを特徴とする。
【００１３】
請求項４に記載の発明は、請求項１叉は２に記載の構成に加え、前記防水シートの固着は、前記防水シートと前記断熱材との密着面に塗布した接着剤により接着された、ことを特徴とする。
【００１４】
請求項５に記載の発明は、フックボルトを用いた既存成形屋根をそのまま残し、該既存成形屋根の上に断熱材を敷設し、該断熱材を前記既存成形屋根の下地材に連結固定し、かつ、前記断熱材の上に防水シートを張設し、前記断熱材と前記防水シートとで新しい屋根として改修する既存成形屋根の改修工法であって、前記断熱材と前記防水シートとを設ける前に、少なくとも上部及び下部にねじ孔を有する長尺ナットを前記既存成形屋根より突出した既設の前記フックボルトの上端部に対して螺合し固定し、次いで、該断熱材を前記既存成形屋根の上に敷設し、かつ、該断熱材に貫通孔を開けて該貫通孔に前記長尺ナットを通し、次いで、中央にねじ通し孔を有し該ねじ通し孔を前記断熱材の上面に開いた前記貫通孔に合わせて前記断熱材の上面に重ねられかつ少なくとも上面にホットメルト樹脂が塗布された押えプレートを前記貫通孔に同心させて該断熱材の上に重ね、ビスねじを押えプレートのねじ通し孔に通して前記長尺ナットに螺合し締め付け、次いで、前記断熱材の上に前記防水シートを張設し、該防水シートの上から前記押えプレートを誘導加熱して該押えプレートの上面に形成されたホットメルト樹脂膜を溶融して該押えプレートの上面と該防水シートとを固着する、既存成形屋根の改修工法としたことを特徴とする。
【００１５】
請求項６に記載の発明は、請求項５に記載の構成に加え、前記既存成形屋根の上に、人が載っても実質的に撓まない養生板を前記フックボルトを避けて敷設し、次いで、前記断熱材の敷設を行う、ことを特徴とする。
請求項７に記載の発明は、請求項５叉は６に記載の構成に加え、前記防水シートの固着は、前記防水シートの上から誘導加熱手段により前記押えプレートを押圧して誘導加熱し、前記押えプレートの上面に塗布した前記ホットメルト接着剤を溶融してから押圧を確保して誘導加熱を停止し冷却することにより前記防水シートと前記押えプレートとを溶着する、ことを特徴とする。
【００１６】
請求項８に記載の発明は、請求項５叉は６に記載の構成に加え、前記防水シートの固着は、前記防水シートの敷設に際して、前記防水シートと前記断熱材との密着面に接着剤を塗布することにより接着する、ことを特徴とする。
【発明の効果】
【００１７】
請求項１及び請求項５に記載の発明によれば、既存成形屋根をそのまま残し、断熱材と防水シートとで新しい屋根として改修するものであって、断熱材及び防水シートからなる新しい屋根を既存成形屋根の下地材に連結固定できて、既存成形屋根をいじらず、既存成形屋根の防水機能を破壊することなく、粉塵が室内に落下飛散することがなく、改修費が安く付き、新しい屋根面には防水シートの他に何もないので奇麗に仕上がり、さらに、新しい屋根を下地材に連結固定する固定具（長尺ナット等）を次回改修時に再利用できる。
【００１８】
請求項２及び請求項６に記載の発明によれば、既存成形屋根の上に、人が載っても実質的に撓まない養生板をフックボルトを避けて敷設するから、フックボルトを利用して長尺ナットを取り付けることが阻害されず、改修工事の施工開始から施工終了後まで、屋根に人が載ることで既存成形屋根、特にスレート屋根を破損する惧れがない。
【００１９】
請求項３及び請求項７に記載の発明によれば、防水シートの上から押えプレートを誘導加熱して押えプレートの上面に形成されたホットメルト樹脂膜を溶融して該押えプレートの上面と該防水シートとを固着するので、防水シートの敷設状態の調整が容易に行えると共に、防水シートの敷設固定作業を極めて迅速に行える。
【００２０】
請求項４及び請求項８に記載の発明によれば、防水シートの敷設固定作業を極めて強固に行える。
【発明を実施するための最良の形態】
【００２１】
以下に本発明の実施の形態に係る既存成形屋根の改修構造及び改修工法を図面を参照して説明する。
【００２２】
〔実施の形態１〕
まず、既存成形屋根の改修構造について図１を参照して説明する。
【００２３】
この実施の形態の既存成形屋根の改修構造は、既存成形屋根１５の一例として、スレート系波板よりなる既存成形屋根を示している。既存成形屋根１５を防水機能を壊さないために一切孔を開けず、該既存成形屋根１５をそのまま残し、まず該既存成形屋根１５の上に人が載っても実質的に撓まない養生板２６を前記フックボルト１１を避けて敷設し、既存成形屋根１５より突出した任意のフックボルト１１の上端部を利用し、長尺ナット２２を螺合し固定し、さらにその上にポリスチレンフォームからなる断熱材１６の上に押えプレート２３Ａを当ててビスねじ２４を長尺ナット２２に螺合し締め付けることで、該断熱材１６を既存成形屋根１５の鉄骨下地材１４に連結固定し、最後に断熱材１６の上に防水シート１７を張設し、断熱材１６と防水シート１７とで新しい屋根として改修する構成である。ここで用いる断熱材１６は、ポリエチレンフォームからなる例えば厚さ１〜２ｍｍの絶縁シート（不図示）を上面に積層したものを用いる。なお、断熱材１６を敷設した後に絶縁シートを敷設しても良い。
【００２４】
図３、図４に示す従来の既存成形屋根の改修構造では、既存成形屋根をそのまま残し、その上に断熱材を敷設し、次に防水シートを張設して、最後に防水シート及び断熱材を下地材に対して連結固定するものであるのに対して、実施の形態１の既存成形屋根の改修構造は、養生板２６を敷設すること、長尺ナット２２を取り付けること、絶縁シート（不図示）を上面に積層した断熱材１６を敷設し鉄骨下地材１４に対する連結固定を行うこと、及び最後に防水シート１７の張設固定を行うこと、を内容とするものである。
【００２５】
養生板２６の敷設は、既存成形屋根１５がスレート系波板であるときに、新設屋根の改修工事において人が載ることにより、既存成形屋根１５が破損するのを回避するために設ける。養生板２６は、人が載っても実質的に撓まない強度があれば肉厚や断面構造等に限定はない。資材コストが安いほどよい。この養生板２６は、既存成形屋根１５に対して完全に敷き詰める必要はなく、また、断熱材１６敷設と同時に取り除いてもよい。改修工事後は、この養生板２６は、見えないのであるが、人が不用意に載っても、既存成形屋根１５が破損しなければ良い。この養生板２６は、例えばパンチングメタルであっても良い。
【００２６】
断熱材１６（絶縁シートも含む）の鉄骨下地材１４に対する連結固定は、断熱材１６を敷設する前に既存成形屋根１５より突出した任意のフックボルト１１の上端部を利用し、長尺ナット２２を螺合し固定し、そして、断熱材１６を敷設し、その後、押えプレート２３Ａと、ビスねじ２４とにより行うものである。断熱材１６の上面に積層するポリエチレンフォームからなる絶縁シート（不図示）は、防水シートに含まれる可塑剤等の添加剤がポリスチレンフォームへ移行し該ポリスチレンフォームが変質するのを防止する役目を果たす。最後に防水シート１７を張設するので、固定手段を隠蔽する綺麗な外観が確保され、防水シート１７に対するビス等により貫通し防水性を破壊する行為は一切行わないから、防水性が完全に確保される。
【００２７】
長尺ナット２２には、上下に貫通するねじ孔(符号なし)を有する長尺の六角ナットを使用するのが好ましい。長尺ナット２２の取り付けには、既存成形屋根１５より突出した任意のフックボルト１１の上端部を金ブラシで磨いて、該フックボルト１１の上端部に対して長尺ナット２２を螺合して固定するのが良い。もって、長尺ナット２２は、断熱材１６の厚さに対応してフックボルト１１に長く継ぎ足した状態とされている。長尺ナット２２は、断熱材１６に開けられた貫通孔２５に通されるが、上端が断熱材１６の上面よりも引っ込んでいる。フックボルト１１のねじ山部が腐食している場合もあるので、長尺ナット２２とフックボルト１１とは接着剤による固定、ねじ結合＋接着剤による連結固定を図るか、或いは長尺ナット２２とフックボルト１１とを溶接しても良い。さらにさび止めを行う。長尺ナット２２は、市販の長尺な六角ナットを使用することが好ましいが、外面が六角形でなく例えば円筒であっても良い。
【００２８】
押えプレート２３Ａは、ステンレス薄板或いは薄肉鋼板等の誘導加熱性金属プレート材をプレス加工で円形に打ち抜きかつ中央にねじ通し孔(符号なし)を開け、ねじ通し孔の周囲を逆三角錐状に窪ませた形状に形成されたプレート本体２３ａと、該プレート本体２３ａの上面或いは上下面に塗布されたホットメルト樹脂皮膜（符号なし）と、前記プレート本体２３ａの下面に重ねられた断熱シート２３ｂとからなる。該押えプレート２３Ａは、ねじ通し孔を断熱材１６の上面に開いた貫通孔２５に合わせ、断熱シート２３ｂを断熱材１６の上面に重ねられる。
【００２９】
ビスねじ２４は、皿小ねじが使用され、上方から押えプレート２３Ａのねじ通し孔に通され長尺ナット２２のねじ孔と螺合し締め付けられている。押えプレート２３Ａは、ビスねじ２４の締め付けが強く行われることにより、断熱材１６に強く押圧し鉄骨下地材１４に固定している。
【００３０】
防水シート１７は、押えプレート２３Ａ及びビスねじ２４を隠すように張設される。防水シート１７と押えプレート２３Ａの上面とは接合され、防水シート１７は断熱材１６に接合されない。上述したように、押えプレート２３Ａは、ホットメルト樹脂皮膜が被覆されプレート本体２３ａと、断熱シート２３ｂとからなる構成である。このため、防水シート１７の張設後に、防水シート１７の上方から誘導加熱されることにより、防水シート１７と押えプレート２３Ａの上面とは接合される。
【００３１】
次に、上記構成の既存成形屋根の改修工法を説明する。
この改修工法は、既存成形屋根１５をそのまま残し、養生板２６を前記フックボルト１１を避けて敷設し、該養生板２６を足場として作業を続行する。まず、既存成形屋根１５より突出した任意のフックボルト１１の上端部に対して上下に貫通するねじ孔を有する長尺ナット２２を螺合し固定する。次に、上面に絶縁シート（不図示）を積層した断熱材１６を敷設位置に合わせて長尺ナット２２に強く押し付けることにより、該断熱材１６の下面に凹部を形成し、該凹部に合わせてドリルで貫通孔２５を設ける。該貫通孔２５を有する断熱材１６を再度敷設位置に合わせ貫通孔２５に前記長尺ナット２２を通すようにして、該断熱材１６を既存成形屋根１５の上に敷設する。次いで、ホットメルト樹脂皮膜が被覆されたプレート本体２３ａと断熱シート２３ｂとからなる押えプレート２３Ａを貫通孔２５に同心させて断熱材１６の上に重ね、ビスねじ２４を押えプレート２３Ａのねじ通し孔に通して長尺ナット２２に螺合し強く締め付ける。これによって、押えプレート２３Ａが断熱材１６を既存成形屋根１５の上に強く押し付けると共に、長尺ナット２２と押えプレート２３Ａとビスねじ２４とによって断熱材１６を鉄骨下地材１４に連結固定したことになる。次いで、断熱材１６の上に防水シート１７を張設していき、緊張状態を保って、防水シート１７の上方から誘導加熱装置の誘導加熱ヘッドを押えプレート２３Ａに対峙させ、押えプレート２３Ａを誘導加熱することによりホットメルト樹脂を溶融させる。そして、押え付け具（不図示）で防水シート１７の上から押えプレート２３Ａを抑えていると、わずかな時間経過すると、ホットメルト樹脂が速やかに冷却し、押えプレート２３Ａの上面と防水シート１７とがホットメルト樹脂で接合される。断熱シート２３ｂは、プレート本体２３ａが誘導加熱される際に、ポリスチレンフォームからなる断熱材１６が溶融し流動してしまうのを防ぐ役目を果たす。
【００３２】
上記実施の形態１によれば、断熱材１６と防水シート１７とで新しい屋根として改修することができる。断熱材１６の鉄骨下地材１４に対する連結固定は、長尺ナット２２と、押えプレート２３Ａとビスねじ２４とにより行うものであり、長尺ナット２２を既存成形屋根１５より突出した任意のフックボルト１１の上端部に対して螺合し固定するものであるから、断熱材１６を敷設することが容易であり、断熱材１６を鉄骨下地材１４に連結固定することが容易である。そして、断熱材１６を鉄骨下地材１４に連結固定するに際して、既存成形屋根１５に孔を開けないので、既存成形屋根１５の防水機能を破壊することなく、粉塵が室内に落下飛散することがない。上記実施の形態１によれば、屋根材料及び取り付け工事を含む改修費が金属屋根で改修する場合に比べてはるかに安く付く。次回改修時には、新しい屋根を鉄骨下地材１４に連結固定する固定具を再利用できる。
【００３３】
〔実施の形態２〕
この実施の形態の既存成形屋根の改修構造は、押えプレート２３Ｂが実施の形態１の押えプレート２３Ａと相違し、その他の構成は実施の形態１と同一である。押えプレート２３Ｂは、長尺な帯板２３ａ’の下面に断熱シート２３ｂ’を積層しフックボルト１１に取り付ける長尺ナット２２の配列ピッチに等しくボルト通し穴を開けてなる。従って、押えプレート２３Ａが一定ピッチ毎のポイントで断熱材１６を固定しているのに対して、押えプレート２３Ｂは、連続一直線に（又は断続させて）断熱材１６を固定する構成である。
【００３４】
一通り説明すると、この既存成形屋根の改修構造は、スレート系波板よりなる既存成形屋根１５をそのまま残し、該既存成形屋根１５の上に養生板２６を敷設し、既存成形屋根１５より突出した任意のフックボルト１１の上端ねじ部に長尺ナット２２を取り付け、養生板２６の上に、上面にポリエチレンフォームからなる例えば厚さ１〜２ｍｍの絶縁シート（不図示）を積層したポリスチレンフォームの断熱材１６と敷設する。次に、長尺な押えプレート２３Ｂを断熱材１６の上面の長尺ナット２２と対応する位置に置き、ビスねじ２４を押えプレート２３Ｂに開けたボルト通し穴に通し長尺ナット２２に螺合し締め付けることにより、断熱材１６を長尺な押えプレート２３Ｂで押さえ付けた状態で既存成形屋根１５の鉄骨下地材１４に連結固定状態とし、最後に断熱材１６の上に防水シート１７を張設する。押えプレート２３Ｂは、ステンレス製の帯板よりプレス加工され下面両縁に着座部を有すると共に、ビスねじ２４を通す孔を有し穴の周囲が窪んで下面に着座部を有し、上面前面にホットメルト接着剤が塗布されている。それゆえ、防水シート１７の固着は、防水シート１７の上から誘導加熱手段（不図示）により押えプレート２３Ｂを押圧して誘導加熱し、押圧を確保してホットメルト接着剤を溶融し、その後、押圧を確保して誘導加熱を停止し冷却することにより防水シート１７と押えプレート２３Ｂとを接合する。この接合は接合強度を確保できれば長尺な押えプレート２３Ｂ対して、部分的でも全長に渡って行ってもよい。
【００３５】
この実施の形態の既存成形屋根の改修構造も、実施の形態１と同じで、最後に防水シート１７を張設し誘導加熱を利用して防水シート１７の上から該防水シート１７と押えプレート２３Ｂとのホットメルト接着を行うものであるので、固定手段を隠蔽する綺麗な外観が確保され、防水シート１７に対するビス等により貫通し防水性を破壊する行為は一切行わないから、防水性が完全に確保される。
【００３６】
〔その他の実施の形態〕
以上、図面を参照して実施の形態１、２を説明したが、本発明は、これに限定されるものではなく、要旨を逸脱しない限度で種々の設計変更や工程の変更が可能であり、そのような変更を技術的範囲に含むものである。
【００３７】
上記実施の形態１では、既存成形屋根１５がスレート系波板である場合を示したが、本発明は、既存成形屋根１５よりフックボルト１１の上端部が突出している構成であれば、該既存成形屋根１５が金属系折板等である場合も技術的範囲に含む。また、鉄骨下地材１４は、Ｌ型アングル材に限定されず、根太やチャンネル材、Ｃチャンネル材等の下地材である場合を当然に含むものである。既存成形屋根１５がスレート系波板ではなくて、金属系折板であり、人が載っても凹まない十分な強度がある場合には、養生板２６は不要である。
【００３８】
上記実施の形態１、２では、断熱材１６がポリスチレンフォームである場合を示したが、本発明は、断熱材１６がウレタンフォーム、あるいはフェノールフォーム等である場合も技術的範囲に含むものである。断熱材１６にウレタンフォーム、あるいはフェノールフォームを使用する場合は、防水シート１７に含まれる可塑剤等の添加剤の移行・変質の惧れがないので、上記実施の形態１、２で採用する断熱材１６の上面に積層する絶縁シートは不要になる。また、断熱材１６として、ポリスチレンフォームよりも耐熱性があるウレタンフォーム、フェノールフォームのような架橋樹脂製フォームを使用すると、誘導加熱で防水シート１７を押えプレート２３Ａまたは２３Ｂに接合する場合、誘導加熱の熱により変形しないため下面に設けられる断熱シート２３ｂまたは２３ｂ’も必要ではなくなる。
【００３９】
上記実施の形態１、２では、誘導加熱を利用して防水シート１７の上から該防水シート１７と押えプレート２３Ａまたは２３Ｂとのホットメルト接着を行うことを示したが、防水シート１７の固着は、この接着方法に限定されない。他例として、防水シート１７の敷設に際して、防水シート１７と断熱材１６との密着面に接着剤を塗布することにより接着してもよく、本発明は、このような場合を含むものである。接着剤としては、水系接着剤のほか、溶剤系接着剤を選定することができる。溶剤系接着剤としては、例えば、ニトリル系、ＳＢＲ系等のゴム系接着剤、エポキシ樹脂系接着剤、ウレタン系接着剤などの接着剤を用いることができる。
防水シート１７と断熱材１６とを接着固定する場合は、誘導加熱を行うときに必要とした、押えプレート２３Ａまたは２３Ｂ上のホットメルト樹脂層及び断熱シートは不要である。
【００４０】
上記実施の形態１では長尺ナット２２は、上下に貫通するねじ孔を有しているタイプを示したが、本発明は、少なくとも上部及び下部にねじ孔を有するタイプの長尺ナット、すなわち、上端面及び下端面より所要深さを有するねじ穴が形成されているタイプの長尺ナットを使用する場合も技術的範囲に含む。
【図面の簡単な説明】
【００４１】
【図１】実施の形態１にかかる既存成形屋根の改修工法を説明するための要部断面図である。
【図２】実施の形態２にかかる既存成形屋根の改修工法を説明するための要部断面図である。
【図３】従来の既存成形屋根の改修工法を説明するための工程途中の状態を要部断面図である。
【図４】図３に続く工程を説明するための要部断面図である。
【符号の説明】
【００４２】
１１  フックボルト
１２  座金
１３  ナット
１４  鉄骨下地材
１５  既存成形屋根
１６  養生板（断熱材）
１７  防水シート
２２  長尺ナット
２３Ａ  押えプレート
２３Ｂ  押えプレート
２４  ビスねじ
２５  貫通孔
２６  養生板
【図１】
0005345773.tif 000002
【図２】
0005345773.tif 000003
【図３】
0005345773.tif 000004
【図４】
0005345773.tif 000005